(57)【要約】【課題】  複数の印画紙を用いテストチャートを作成し、このテストチャートに基づいて精度の高く補正データを生成するプリント装置を構成する。【解決手段】  ２枚のテストチャートのスキャニングデータＤ１、Ｄ２から重複領域Ｇを抽出し、この抽出領域Ｇにおける、一方のスキャニングデータの濃度の変化傾向（傾き）を求め、この変化傾向を小さくし、次に、濃度差をなくしてスキャニングデータＤ１、Ｄ２を繋ぎ合わせる形態で合成し、単一の合成スキャニングデータＤ３を得る。このスキャニングデータＤ３の濃度データに基づいて補正データ生成手段が補正テーブルの更新を行う。【選択図】        図１１
2006297616.tif 000002
【特許請求の範囲】
【請求項１】
主走査方向に沿って複数のプリント制御部を配置したプリントヘッドと、プリント材料とを前記主走査方向と直交する副走査方向に相対移動させ、この相対移動時に前記プリントヘッドの各プリント制御部を設定されたプリントデータに基づいて制御することでテストチャートを作成し、このテストチャートをスキャナでスキャニングすることによって取得したスキャニングデータから前記各プリント制御部に対する補正データを設定する補正データ生成手段を備えているプリント装置であって、
前記テストチャートが、前記プリントヘッドの主走査方向でのプリント可能な領域より短い寸法のプリント材料を複数用い、このプリント材料を前記プリントヘッドの主走査方向で異なる位置にセットして作成されたものであり、
前記補正データ生成手段は、前記複数のテストチャートのうち基準チャートに設定したものと、補正対象チャートに設定したものとのスキャニングデータから重複領域を抽出する重複領域抽出処理と、
この重複領域抽出処理で抽出された重複領域において前記基準チャートに対する前記補正対象チャートの主走査方向での濃度の変化傾向を求め、この変化傾向の濃度を補正する傾向補正処理と、
前記傾向補正処理によって補正された前記補正対象チャートのスキャニングデータと、前記基準チャートのスキャニングデータとを繋ぎ合わせて合成スキャニングデータを生成する合成処理と、
この合成処理によって生成された合成スキャニングデータから前記補正データを生成する補正データ生成処理とを行うように処理形態が設定されているプリント装置。
【請求項２】
前記補正データ生成手段は、前記傾向補正処理で補正された前記補正対象チャートのスキャニングデータと、前記基準チャートのスキャニングデータとの前記重複領域との濃度差を求め、この濃度差をなくす濃度補正処理を備え、
前記合成処理では、前記傾向補正処理、及び、前記濃度補正処理によって補正された前記補正対象チャートのスキャニングデータと、前記基準チャートのスキャニングデータとを繋ぎ合わせて合成スキャニングデータを生成する処理を行うように処理形態が設定されている請求項１記載のプリント装置。
【請求項３】
前記テストチャートが前記複数のプリント制御部に対応した複数の画素ラインが形成された構造を有するものであり、
前記傾向補正処理は、前記基準チャートのスキャニングデータと、補正対象チャートのスキャニングデータとの重複領域において同じプリント制御部によって形成された画素ライン同士の濃度の比較を、主走査方向での複数箇所で行うことにより濃度の変化傾向を求め、この濃度の変化傾向を取り除くようにスキャニングデータの画素ラインの濃度を補正する請求項１又は２記載のプリント装置。
【請求項４】
前記濃度補正処理は、前記基準チャートのスキャニングデータと、前記傾向補正処理によって補正された補正対象チャートのスキャニングデータとの重複領域において同じプリント制御部によって形成された画素ライン同士の濃度の比較を、主走査方での複数箇所において行い、各濃度が一致する、又は、各濃度差が最も小さくなるように前記補正対象チャートのスキャニングデータの全ての画素ラインの濃度データをシフトする処理を行う請求項３記載のプリント装置。
【請求項５】
前記スキャナとしてフラットベッド型のものを用いると共に、このスキャナに複数の前記テストチャートを同時にセットしてスキャニングデータを取得する際には、テストチャートの数だけスキャニング作動を行い、このスキャニング作動毎に異なるテストチャートのスキャニングデータを取得するスキャナ制御手段を備えている請求項１〜４のいずれか１項に記載のプリント装置。
【発明の詳細な説明】
【技術分野】
【０００１】
本発明は、主走査方向に沿って複数のプリント制御部を配置したプリントヘッドと、プリント材料とを前記主走査方向と直交する副走査方向に相対移動させ、この相対移動時に前記プリントヘッドの各プリント制御部を設定されたプリントデータに基づいて制御することでテストチャートを作成し、このテストチャートをスキャナでスキャニングすることによって取得したスキャニングデータから前記各プリント制御部に対する補正データを設定する補正データ生成手段を備えているプリント装置に関する。
【背景技術】
【０００２】
上記のように構成されたプリント装置として、蛍光プリントヘッド（本発明のプリントヘッド）での露光によって印画紙からテストプリントシート（本発明のテストチャート）を作成し、このテストプリントシートのラインイメージをフラットベッドスキャナで取り込み、取り込んだ露光ドットラインの濃度に基づいて補正テーブルをセットするものが存在する（例えば、特許文献１参照）。
【０００３】
この特許文献では、蛍光プリントヘッドを構成するＲ（赤）、Ｇ（緑）、Ｂ（青）の３原色に対応した各蛍光発光素子夫々に偶数番号と奇数番号とを付与しておき、これらの蛍光発光素子の制御によって印画紙に露光を行うことによって前記テストプリントシートを作成している。このテストプリントシートでは、偶数番号と奇数番号とが付与された蛍光発光素子に対応した複数のテスト露光ドットラインが形成され、フラットベッドスキャナで取得した露光ドットラインの主走査方向（露光ドットラインの幅方向）での中央位置となり、かつ、副走査方向に所定間隔と成る位置の濃度を取得し、更に、チェック窓に含まれる濃度データの平均値を代表濃度とし、この代表濃度から各蛍光発光素子の補正係数を生成し、補正テーブルに格納するように構成されている。
【０００４】
【特許文献１】特開２００１‐１４２１６２号公報  （段落番号〔００１１〕〜〔００３１〕、〔００３７〕、図１〜図１５）
【発明の開示】
【発明が解決しようとする課題】
【０００５】
前記テストチャートは、プリントヘッドの主走査方向でのプリント幅を超える幅（一致する幅でも良い）の記録媒体にプリントすることが理想である。しかしながら、本発明のプリント装置としてＤＰ店に設置される写真プリント装置を想定すると、ＤＰ店では大きいサイズのプリントを行う機会が、さほど多くなく、広幅の印画紙（感光材料）を常時準備していないことも多い。
【０００６】
このような状況でも、プリントヘッドの主走査方向でのプリント幅（露光幅）より小さい幅となる印画紙を複数用いて複数のテストチャートを作成し、ソフトウエア的な処理によってテストチャート同士を重複部分で繋ぎ合わせて１つのテストチャートを作り出し、このテストチャートに基づいて補正データを生成することも考えられる。
【０００７】
このような理由から、例えば、２枚のテストチャートを合成する処理を考えると、２枚のテストチャートを作成する際に、先の印画紙をプリントヘッドの主走査方向での一方に変位させ、後の印画紙をプリントヘッドの主走査方向での他方に変位させた状態でテストプリントを行うことになる。従来からの写真プリント装置では、このような形態で２枚のテストチャートを作成した場合でも、夫々のテストチャートの濃度にズレを発生することは殆どない。
【０００８】
しかしながら、スキャニングのタイミングにおけるスキャナの状態によって、スキャニングデータに差異を生ずることがある。出願人の実験によると、スキャナの光源の光量変化の影響を受けることが多く見受けられ、改善の余地があった。
【０００９】
本発明の目的は、複数のプリント材料でテストチャートを作成し、精度の高い補正データを生成するプリント装置を合理的に構成する点にある。
【課題を解決するための手段】
【００１０】
本発明の特徴は、主走査方向に沿って複数のプリント制御部を配置したプリントヘッドと、プリント材料とを前記主走査方向と直交する副走査方向に相対移動させ、この相対移動時に前記プリントヘッドの各プリント制御部を設定されたプリントデータに基づいて制御することでテストチャートを作成し、このテストチャートをスキャナでスキャニングすることによって取得したスキャニングデータから前記各プリント制御部に対する補正データを設定する補正データ生成手段を備えているプリント装置において、
前記テストチャートが、前記プリントヘッドの主走査方向でのプリント可能な領域より短い寸法のプリント材料を複数用い、このプリント材料を前記プリントヘッドの主走査方向で異なる位置にセットして作成されたものであり、
前記補正データ生成手段は、前記複数のテストチャートのうち基準チャートに設定したものと、補正対象チャートに設定したものとのスキャニングデータから重複領域を抽出する重複領域抽出処理と、
この重複領域抽出処理で抽出された重複領域において前記基準チャートに対する前記補正対象チャートの主走査方向での濃度の変化傾向を求め、この変化傾向の濃度を補正する傾向補正処理と、
この傾向補正処理で補正された前記補正対象チャートのスキャニングデータと、前記基準チャートのスキャニングデータとの前記重複領域との濃度差を求め、この濃度差をなくす濃度補正処理と、
前記傾向補正処理によって補正された前記補正対象チャートのスキャニングデータと、前記基準チャートのスキャニングデータとを繋ぎ合わせて合成スキャニングデータを生成する合成処理と、
この合成処理によって生成された合成スキャニングデータから前記補正データを生成する補正データ生成処理とを行うように処理形態を設定した点にある。
【００１１】
この構成により、例えば、複数のテストチャートの１つを基準チャートに設定し、他を補正対象チャートに設定した後に、傾向補正処理が、夫々のスキャニングデータの重複領域における補正対象チャートの主走査方向での濃度の変化傾向を求め、補正対象チャートのスキャニングデータにおいて変化傾向を無くすことや、変化傾向を極めて小さい値に設定する等の補正を行う。この後に、合成処理によって、基準チャートのスキャニングデータと補正後の補正対象チャートのスキャニングデータとを繋ぎ合わせることによって合成スキャニングデータを生成する。この合成スキャニングデータを生成した後には、プリントヘッドの複数のプリント制御部に対応する補正データを生成することが可能となる。その結果、大きいサイズのプリント材料を用いずとも、小さいサイズとなる複数のプリント材料でテストチャートを作成し、精度の高い補正データを生成するプリント装置が合理的に構成されたのである。
【００１２】
本発明は、前記補正データ生成手段は、前記傾向補正処理で補正された前記補正対象チャートのスキャニングデータと、前記基準チャートのスキャニングデータとの前記重複領域との濃度差を求め、この濃度差をなくす濃度補正処理を備え、
前記合成処理では、前記傾向補正処理、及び、前記濃度補正処理によって補正された前記補正対象チャートのスキャニングデータと、前記基準チャートのスキャニングデータとを繋ぎ合わせて合成スキャニングデータを生成する処理を行うように処理形態を設定しても良い。
【００１３】
この構成により、濃度補正処理によって、前記基準チャートのスキャニングデータにおける重複領域と、補正後における補正対象チャートのスキャニングデータの重複領域との濃度差を無くせるので、濃度が一層均一化した合成スキャニングデータを生成できる。
【００１４】
本発明は、前記テストチャートが前記複数のプリント制御部に対応した複数の画素ラインが形成された構造を有するものであり、
前記傾向補正処理は、前記基準チャートのスキャニングデータと、補正対象チャートのスキャニングデータとの重複領域において同じプリント制御部によって形成された画素ライン同士の濃度の比較を、主走査方向での複数箇所で行うことにより濃度の変化傾向を求め、この濃度の変化傾向を取り除くようにスキャニングデータの画素ラインの濃度を補正しても良い。
【００１５】
この構成により、テストチャートの作成時にプリント制御部によって夫々のプリント材料に形成された特定の画素ラインの濃度に基づいて濃度の変化傾向を精度高く求めることが可能であり、このように求めた濃度の変化傾向に基づいて画素ラインの濃度を補正することによりスキャナの光源の光量変化による影響を排除できる。
【００１６】
本発明は、前記濃度補正処理が、前記基準チャートのスキャニングデータと、前記傾向補正処理によって補正された補正対象チャートのスキャニングデータとの重複領域において同じプリント制御部によって形成された画素ライン同士の濃度の比較を、主走査方向での複数箇所において行い、各濃度が一致する、又は、各濃度差が最も小さくなるように前記補正対象チャートのスキャニングデータの全ての画素ラインの濃度データをシフトする処理を行っても良い。
【００１７】
この構成により、夫々のプリント材料に形成された特定の画素ラインの濃度が一致する、又は、濃度差が最も小さくなるように補正対象チャートのスキャニングデータの全ての画素ラインデータの濃度を基準チャートの画素ラインと一致又は濃度差を小さくすることが可能となり、濃度差が殆どない合成スキャニングデータを作り出せる。
【００１８】
本発明は、前記スキャナとしてフラットベッド型のものを用いると共に、このスキャナに複数の前記テストチャートを同時にセットしてスキャニングデータを取得する際には、テストチャートの数だけスキャニング作動を行い、このスキャニング作動毎に異なるテストチャートのスキャニングデータを取得するスキャナ制御手段を備えても良い。
【００１９】
この構成により、例えば、２枚のテストチャートを作成した場合には、２枚のテストチャートをフラットベッドスキャナにセットした場合には、スキャナ制御手段が、２回スキャニング作動を行い、夫々のスキャニング作動時に異なるテストチャートのスキャニングデータを取得できる。つまり、２枚のテストチャートをフラットベッドスキャナで同時にスキャニングして１つのデータを取得するものでは、２つのテストチャートに対応したスキャニングデータを抽出する処理を必要とするが、本発明によると処理を簡素化できる。
【発明を実施するための最良の形態】
【００２０】
以下、本発明の実施形態を図面に基づいて説明する。
〔写真プリント装置の構成〕
図１に示すように、オペレート部Ａとプリント処理部Ｂとを備えて写真プリント装置が構成されている。前記オペレート部Ａは、テーブル１の上面に写真フィルムＦの画像情報をデジタル信号化して取り込むフィルムスキャナ２と、処理情報を表示するディスプレイ３と、キーボード４とを備え、側部にフラットベッドスキャナ５を配置している。前記テーブル１の下側に汎用コンピュータからなる処理装置６を備えている。また、この処理装置６にはＣＤ−ＲやＤＶＤ−Ｒ等に記録された画像データや、半導体メディアに記録された画像データを取得するメディアドライブ７を備えている。
【００２１】
前記フラットベッドスキャナ５は、本体５Ａに透明なガラス板や樹脂板で成るスキャニングテーブル５Ｂを形成すると共に、このスキャニングテーブル５Ｂを覆う開閉自在なプラテンカバー５Ｃと、本体５Ａの内部において平行移動自在なスキャナ部５Ｄとを備えている。
【００２２】
前記スキャナ部５Ｄは主走査方向に伸びた形状で、光源とＣＣＤ等の光電変換素子を備えており、このスキャナ部５Ｄの光源を発光させた状態で主走査方向と直交する副走査方向に作動させることにより、前記スキャニングテーブル５Ｂにセットされたスキャニング対象物の画像を光電変換素子によって取得する。また、このフラットベッドスキャナ５は前記発光素子１８の発光によって印画紙Ｐに対して副走査方向にライン状に形成される画素ラインＱ（図６を参照）を、主走査方向で５つ以上の領域に分割し、夫々の領域の濃度を取得できる解像度を有したものである。
【００２３】
〔プリント処理部〕
前記プリント処理部Ｂは、露光部ＥＸにおいてプリント材料としての印画紙Ｐをプリントサイズに切断した後、画像データの露光を行い、この露光の後には、縦搬送装置ＣＶにおいて印画紙Ｐを反転して表裏を入れ換えた状態で上方に搬送して現像処理部ＤＥに送り込み、この現像処理部ＤＥで現像処理を行った印画紙Ｐを乾燥処理部ＤＲで乾燥した後に横方向に搬送ベルト１０上に送り出し、更に、搬送ベルト１０からソータ（図示せず）に送り出すよう構成されている。
【００２４】
前記露光部ＥＸは、印画紙マガジンＭからの印画紙Ｐ（プリント材料の一例）を圧着型の供給ローラ１１で送り出し、カッター１２でプリントサイズに切断し、チャッカー１３によって水平方向に送り、このチャッカー１３から露光位置に送り込み、この露光位置において印画紙Ｐを水平方向となる副走査方向に搬送しながら、露光ヘッドＨ（プリントヘッドの一例）からの光線によって画像データの露光を行う。また、この露光部ＥＸの内部には制御ユニット１４を備えている。
【００２５】
前記露光ヘッドＨは、Ｒ（赤）・Ｇ（緑）・Ｂ（青）の３原色の光線を下方に向けて送り出す蛍光発光管１５（３原色に対応した３種の蛍光発光管１５Ｒ、１５Ｇ、１５Ｂの総称）を備えると共に、露光位置を基準にして印画紙Ｐの搬送上手側と搬送下手側とに一対の露光搬送ローラ１６と、この露光搬送ローラ１６に対応する従動ローラ１７とを備えている。
【００２６】
この露光ヘッドＨは、特許文献１に記載したものと同様に、Ｒ（赤）・Ｇ（緑）・Ｂ（青）の３原色に対応した３種の蛍光発光管１５Ｒ、１５Ｇ、１５Ｂを備えている。夫々の蛍光発光管１５Ｒ、１５Ｇ、１５Ｂとも、透明ガラス（図示せず）等、光線の透過を許す部位を形成した真空状態のケースの内部に図２のように主走査方向に複数の発光素子１８（プリント制御部の一例）をリニアアレイ型に配置した構造を有している。
【００２７】
ちなみに、前記３種の蛍光発光管１５Ｒ、１５Ｇ、１５Ｂは発光素子１８からの光線をＲ（赤）、Ｇ（緑）、Ｂ（青）に対応したフィルタ（図示せず）を透過させることで３原色の光線を得ており、これらの発光素子１８は、夫々の発光素子１８に対応する電極に印加する電圧を調節することによって発光素子１８の輝度を制御できる。
【００２８】
前記複数の発光素子１８は、素子番号として、奇数番号が付与された発光素子１８Ａと、偶数番号が付与された発光素子１８Ｂとを平行する位置関係となる列状に配置している。また、素子番号として奇数番号が付与された発光素子１８Ａと、素子番号として偶数番号が付与された発光素子１８Ｂとの発光のタイミングを制御して印画紙Ｐに対し主走査方向にライン状となる露光を行った場合には、図３に示すように、奇数番号が付与された発光素子１８Ａの発光によって形成された露光ドット（（）で囲まれる数字が奇数となる露光領域（ピクセル））と、偶数番号が付与された発光素子１８Ｂの発光によって形成された露光ドット（（）で囲まれる数字が偶数となる露光領域（ピクセル））とが主走査方向で僅かに重複する。
【００２９】
本発明では特許文献１に記載されたものと同様にＲ（赤）、Ｇ（緑）、Ｂ（青）の３種の蛍光発光管１５Ｒ、１５Ｇ、１５Ｂからの光線を副走査方向で異なる位置に照射する（タイミングをずらせて同じ画像データを露光する）よう露光系を構成したものであって良く、また、Ｒ（赤）、Ｇ（緑）、Ｂ（青）の３種の蛍光発光管１５Ｒ、１５Ｇ、１５Ｂからの光線をミラー等の光学系を用いることにより同時に同じ位置に照射するものであっても良い。
【００３０】
特に、露光ヘッドＨにおいて、例えば、赤色だけを発光ダイオードに置き換えることや、全てを発光ダイオード（プリント制御部の一例）に置き換えることも可能である。更に、本発明では、光源からの光線を印画紙Ｐに導く経路中に主走査方向に沿って複数の液晶式等のシャッター（プリント部の一例）を備え、このシャッターによって画素毎の光量を制御するように露光ヘッドＨを構成したものであっても良い。プリントヘッドとしては、ライン型のインクジェットや昇華型のものを用いることも考えられる。
【００３１】
前記縦搬送装置ＣＶでは、前記露光ヘッドＨで露光された印画紙Ｐを圧着型のローラで受け取り、反転させる形態で上方に移動させ前記現像処理部ＤＥに送り込む搬送系を備えており、前記現像処理部ＤＥでは、送り込まれた印画紙Ｐを圧着型のローラを有するローラによって複数の現像処理槽に順次送ることにより現像処理を行う。また、前記乾燥処理部ＤＲでは赤外線ヒータからの熱、及び、ブロワ（図示せず）からの乾燥風によって印画紙Ｐを乾燥させる。
【００３２】
〔写真プリント装置の制御系〕
前記写真プリント装置の制御系を図４のように示すことが可能である。つまり、前記処理装置６は、マイクロプロセッサ（ＣＰＵ）を備えると共に、このマイクロプロセッサ（ＣＰＵ）に対して情報の入出力を行う入出力インタフェース２０を備えている。この入出力インタフェース２０に対してフィルムスキャナ２、ディスプレイ３、キーボード４、フラットベッドスキャナ５、メディアドライブ７、ハードディスクＨＤ夫々の間で情報をアクセスする入出力系を備えている。また、前記マイクロプロセッサＣＰＵのデータバスに対してオペレーティングシステム２１、ノーマルプリント手段２２、テストプリント手段２３、スキャナ制御手段２４、補正データ生成手段２５夫々の間において情報をアクセスする入出力系を形成している。
【００３３】
前記オペレーティングシステム２１は前記処理装置６において必要な情報をディスプレイ３に表示し、このディスプレイ３に情報を表示した状態において、例えば、オーダ情報に従ってノーマルプリント処理を行う場合には、プリント対象とする画像データとオーダデータとを取得して前記ノーマル手段２２に受け渡す処理を実現するインタフェースとして機能する。
【００３４】
前記ノーマルプリント手段２２は、前記フィルムスキャナ２やメディアドライブ７を介して取得した画像データと、キーボード４等を介して取得したオーダ情報とを前記プリント処理部Ｂに伝送してプリント処理を実現する。また、前記テストプリント手段２３は、図１に示すマガジンセンサＭＳからのデータと、チャート作成用の露光データ（プリントデータの一例）と、制御データとを前記プリント処理部Ｂに伝送することにより印画紙Ｐに露光データに基づきチャートをプリントして図５に示すテストチャートＴＣ（後に、図９において説明するＴＣ１、ＴＣ２の上位概念）を作成する。
【００３５】
前記スキャナ制御手段２４は前記フラットベッドスキャナ５を制御することによりセットされたスキャニング対象物（印画紙Ｐ等）からスキャニングデータを取得して処理装置６に取り込む処理を実現する。前記補正データ生成手段２５は、フラットベッドスキャナ５で前記テストチャートＴＣをスキャニングして取得したスキャニングデータから補正データを生成し、この補正データを前記プリント処理部Ｂに伝送し、補正テーブル３５（図４を参照）を更新（設定）する処理を行う。詳しくは説明しないが、この補正テーブル３５はペーパー種毎に設定され、テストチャートＴＣのコード部４０Ａ（図５を参照）に基づいて判別したペーパー種に基づいて対応する補正テーブル３５を更新する処理が行われる。
【００３６】
前記制御ユニット１４は、マイクロプロセッサ（ＣＰＵ）を備えると共に、このマイクロプロセッサ（ＣＰＵ）に対して情報の入出力を行う入出力インタフェース３０を備えている。この入出力インタフェース３０に対して、前記プリント処理部Ｂの各部において前記印画紙Ｐを搬送する搬送ユニット、前記露光ヘッドＨ、現像処理部ＤＥの複数の現像処理槽における現像処理液の温度管理や液面管理を行う現像処理ユニット、前記印画紙マガジンＭの種類を特定するマガジンセンサＭＳ夫々に対する入出力系を備えている。また、前記マイクロプロセッサ（ＣＰＵ）のデータバスに対してオペレーティングシステム３１、搬送制御手段３２、露光制御手段３３、現像制御手段３４、補正テーブル３５夫々の間において情報をアクセスする入出力系を形成している。
【００３７】
前記オペレーティングシステム３１は、センサ系（図示せず）からの信号を取得する処理や、各種制御系に制御信号を出力する基本的な処理を行うと共に、前記搬送制御手段３２、露光制御手段３３、現像制御手段３４夫々の処理を実現する。搬送制御手段３２は前記搬送ユニットを制御して印画紙Ｐの搬送を実現する。前記露光制御手段３３は前記露光ヘッドＨを制御して画像データを印画紙Ｐに露光する処理を実現する。前記現像制御手段３４は前記現像処理部ＤＥにおける処理液の液温や液面レベルを管理する処理を実現する。前記補正テーブル３５は前記露光ヘッドＨにおける各蛍光発光管１５Ｒ、１５Ｇ、１５Ｂ夫々の発光素子１８の輝度を設定する処理を実現する。
【００３８】
前記処理装置６におけるオペレーティングシステム２１、オーダ実行手段２２、テストプリント手段２３、スキャナ制御手段２４、補正データ生成手段２５、及び、前記制御ユニット１４におけるオペレーティングシステム３１、搬送制御手段３２、露光制御手段３３、現像制御手段３４夫々はソフトウエアで成り半導体メモリ（図示せず）に展開したものを想定しているが、ロジック等のハードウエアで構成することが可能であり、また、ハードウエアとの組み合わせによって構成しても良い。前記制御系では、制御を実現するために前記データバスの他にコントロールバスやアドレスバス等を必要とするものであるが、複雑化を避けるために図面にコントロールバスやアドレスバス、インタフェース類を示していない。
【００３９】
この写真プリント装置では、前記露光ヘッドＨの各蛍光発光管１５Ｒ、１５Ｇ、１５Ｂ夫々の発光素子１８の輝度のバラツキを前記補正テーブル３５の補正データに基づいて精度高く補正できるよう構成されたものである。この輝度補正を行う際には、前記テストプリント手段２３によって前記印画紙Ｐに対して予め設定された露光データを露光する処理により、図５に示すテストチャートＴＣを作成し、このテストチャートＴＣを前記フラットベッドスキャナ５でスキャニングすることにより、前記補正データ生成手段２５が補正データを生成し、前記補正テーブル３５の補正データを更新する。
【００４０】
尚、前記テストチャートＴＣを作成する際には、既に設定されている補正テーブル３５の補正データを露光制御手段３３が取り込むことにより、前記露光データが補正データで変換された状態で前記露光ヘッドＨに伝送する形態での露光が行われ、この露光の後に印画紙Ｐを現像処理部ＤＥに搬送して現像処理を行い、乾燥処理部ＤＲで乾燥することにより図５に示すテストチャートＴＣが作成される。
【００４１】
〔テストチャートの構造〕
前記テストチャートＴＣは、図５に示すように、ペーパー種を示すコード部４０Ａが形成されると共に、チャートの前部側を示す指標として機能するスタートバー４０と、チャートの後部側を示すエンドバー４１とに挟まれる領域に形成されたチャート領域ＣＡとで構成されている。処理形態は説明しないが、スタートバー４０においてペーパー種を示すコード部４０Ａは前記マガジンセンサＭＳからの情報に基づいて判別した印画紙Ｐの種類に対応したものがイメージデータとして選択される。このテストチャートＴＣは前記コード部４０Ａを中心にして主走査方向に対称となる構造を有するものであるが、同図においては、小さいサイズの印画紙Ｐにテストチャートのデータの一部だけを露光して作成したテストチャートＴＣを示している。尚、小さいサイズの印画紙Ｐとは、露光時における主走査方向の寸法が、前記露光ヘッドＨによって主走査方向で露光可能（プリント可能）な領域より短い値となる印画紙Ｐを指す。
【００４２】
前記チャート領域ＣＡの前部側と後部側との主走査方向での中央位置にセンター指標４２を形成し、このチャート領域ＣＡの前部側と後部側とには、前記奇数番号が付与された発光素子１８Ａのみを発光させて作り出した画素ライン部４３と、偶数番号が付与された発光素子１８Ｂのみを発光させて作り出した画素ライン部４４とが形成されている。
【００４３】
前記画素ライン部４３、４４を拡大したものを図６のように示すことが可能であり、同図に示す如く、これらの画素ライン部４３、４４には画素ライン部４３には奇数番号が付与された発光素子１８Ａの発光によって形成される複数の画素ラインＱが平行姿勢で櫛歯状に形成され、画素ライン部４４には偶数番号が付与された発光素子１８Ｂの発光によって形成される複数の画素ラインＱが平行姿勢で櫛歯状に形成されている。この画素ラインＱの主走査方向での幅が画素の幅に等しい。
【００４４】
前記チャート領域ＣＡは、Ｂ（青）、Ｇ（緑）、Ｒ（赤）の３種の蛍光発光管１５Ｂ、１５Ｇ、１５Ｒの発光素子１８を独立して発光することによってイエロー（Ｙ）、マゼンタ（Ｍ）、シアン（Ｃ）夫々の色相で形成される３原色領域４５と、これらの発光時に特定の色の発光を行うことによって印画紙Ｐの発色を確認するための不正発色領域４６と、Ｂ（青）、Ｇ（緑）、Ｒ（赤）の３種の蛍光発光管１５Ｂ、１５Ｇ、１５Ｒの発光素子１８を同時に決まった光量で発光させることにより複数階調となるグレーに発色させるグレー発色領域４７とで構成されている。ちなみに、この３原色領域４５と、不正発色領域４６と、グレー発色領域４７とが全画素領域に相当する。
【００４５】
〔制御形態〕
しかしながら、本発明の写真プリント装置では、露光ヘッドＨの主走査方向での露光可能（プリント可能）な領域全てからの光線で露光される幅の印画紙Ｐの在庫がない場合には、２枚の印画紙ＰにテストチャートＴＣのイメージを振り分ける形態で露光することにより２枚のテストチャートＴＣ１、ＴＣ２（３枚以上でも良い）を用いて補正データを更新する処理を行えるように構成されている。ちなみに、２枚のテストチャートＴＣ１、ＴＣ２を作成する場合には、先の印画紙Ｐを露光ヘッドＨの主走査方向での一方の側にセットし、後の印画紙Ｐを露光ヘッドＨの主走査方向での他方の側にセットした状態で夫々の印画紙Ｐに対して露光が行われる。また、３枚以上のテストチャートを作成して用いる場合には、夫々のテストチャートの相対的な位置関係を明らかにするために、前記センター指標４２の他に相対位置を明確にする指標類をテストチャートに形成する必要がある。
【００４６】
具体的な構成は示さないが、この写真プリント装置では、露光ヘッドＨと、この露光ヘッドＨの露光位置に供給する印画紙Ｐとの主走査方向での相対的な位置関係を変更できる機構を備えており、露光ヘッドＨの主走査方向での露光可能な領域の幅に満たない幅の２枚の印画紙Ｐを用いてテストチャートＴＣ（図９に示すＴＣ１とＴＣ２）を作成する場合には、先の印画紙Ｐを露光ヘッドＨの主走査方向での一方に変位させ、後の印画紙Ｐを露光ヘッドＨの主走査方向での他方に変位させる形態でテストプリントを行うことで図９に示すように、前記テストチャートＴＣ１、ＴＣ２が作成される。このテストチャートＴＣ１、ＴＣ２には同じ濃度データを有する重複領域Ｇが形成される。
【００４７】
この写真プリント装置では、基本的には１枚のテストチャートＴＣに基づいて補正データを生成する処理を基本とするものであるが、前述したように前記２枚のテストチャートＴＣ１、ＴＣ２を図１０に示す如くフラットベッドスキャナ５のスキャニングテーブル５Ｂに並列的にセットしてスキャニングを実行することにより、前記補正データ生成手段２５が自動的に補正データを生成し、前記補正テーブル３５の補正データを適正に更新（設定）する自動処理を行える点に特徴を有するものである。
【００４８】
この写真プリント装置では、複数のテストチャートＴＣのスキャニングを行う場合に、複数のテストチャートＴＣの主走査方向を同じ方向に向ける必要はなく、前記スキャニングテーブル５Ｂに対して副走査方向に並列する位置関係でテストチャートＴＣを配置する等、テストチャートＴＣの姿勢や配置を自由に設定してスキャニングを行っても良い。
【００４９】
特に、フラットベッドスキャナ５でスキャニングを行う際に、スキャニングテーブル５ＢにセットされたテストチャートＴＣの画像データを粗く取得するプレスキャンを実行した後に、本スキャンによって高い解像度のスキャニングデータを取得するようにスキャニング形態を設定でき、このようにスキャニング形態を設定したものでは、プレスキャンによって取得したデータからテストチャートＴＣの領域を予め設定し、本スキャンを行う際に先に設定されたテストチャートＴＣの領域からスキャニングデータを取得するように処理形態を設定することにより、無駄な領域をスキャニングする不都合を解消しできるばかりでなく、このプレスキャンで取得したデータからテストチャートＴＣの姿勢を判別して最適な形態での本スキャンを行わせることが可能となる。
【００５０】
尚、前記テストチャートＴＣ（ＴＣ１、ＴＣ２）をフラットベッドスキャナ５にセットした場合に取得されるスキャニングデータＤ１、Ｄ２は、Ｒ（赤）・Ｇ（緑）・Ｂ（青）の３原色について画素の位置の座標データの取得が可能で、その座標データに対応した濃度データ（例えば、８ビットデータ）を有したデータ構造を有しており、後述する処理は、Ｒ（赤）、Ｇ（緑）、Ｂ（青）の３原色に対応した３種の濃度データ全てに対して同様に行われる。
【００５１】
図８に示すように、前記補正データ生成手段２５は、ソフトウエアで成るチャート認識処理部２５Ａ、姿勢変換処理部２５Ｂ、重複領域抽出処理部２５Ｃ、傾向補正処理部２５Ｄ、濃度補正処理部２５Ｅ、合成処理部２５Ｆ、濃度データ取得処理部２５Ｇ、平均化処理部２５Ｈ、補正データ生成処理部２５Ｉを備えている。
【００５２】
この複数の処理部のうち、前記重複領域抽出処理部２５Ｃでの処理が重複領域抽出処理に対応し、前記傾向補正処理部２５Ｄでの処理が傾向補正処理に対応し、前記濃度補正処理部２５Ｅでの処理が濃度補正処理に対応し、合成処理部２５Ｆでの処理が合成処理に対応する。
【００５３】
前記補正テーブル３５の更新処理の概要を図８に基づいて説明する。前述のように、テストチャートＴＣ１、ＴＣ２が作成された後には、前記処理装置６において補正テーブル３５の補正データを更新するためのモードを選択し、テストチャートＴＣ１、ＴＣ２をフラットベッドスキャナ５にセットして処理を実行することにより、前記スキャナ制御手段２４が、先にテストチャートＴＣ１のスキャニングを行い、この後に、テストチャートＴＣ２のスキャニングを行うように、フラットベッドスキャナ５のスキャナ部５Ｄを２度作動させてテストチャートＴＣ１、ＴＣ２に対応した２種のスキャニングデータＤ１、Ｄ２を取得して補正データ生成手段２５に受け渡す。
【００５４】
このスキャナ制御手段２４は、スキャニング時に前記スキャナ部５Ｄの光源を点灯させる制御を行うものであるが、先のスキャニングの後、次のスキャニングを開始するまでの間、前記スキャナ部５Ｄの光源に対して継続的に電力を供給し続ける制御を行うことにより、後のスキャニングにおける光源の光量を安定させている。
【００５５】
補正データ生成手段２５では、チャート認識処理部２５ＡがスキャニングデータＤ１、Ｄ２の濃度データを抽出し、姿勢変換処理部２５ＢがスキャニングデータＤ１、Ｄ２の姿勢を判別し、姿勢を適正化するための変換処理を行う。
【００５６】
具体的に説明すると、前記スタートバー４０とエンドバー４１とは露光ヘッドＨの主走査方向に沿った姿勢で形成されているため、前記画素ラインＱは副走査方向と平行する方向に伸びる姿勢となる。このような理由から、前記姿勢変換処理部２５Ｂは、スタートバー４０及びエンドバー４１の少なくとも一方と、スキャニングデータＤ１、Ｄ２の主走査方向（副走査方向でも良い）との姿勢（傾斜角度）を判別し、例えば、スタートバー４０をフラットベッドスキャナ５の副走査方向に一致させるように、スキャニングデータＤ１、Ｄ２を回転させる座標変換を行うのである。
【００５７】
この姿勢変換処理部２５Ｂによる処理は、テストチャートＴＣ１、ＴＣ２の主走査方向とスキャニングデータＤ１、Ｄ２の主走査方向又は副走査方向が一致している状況では行う必要がないので省略される。また、この姿勢変換処理部２５Ｂの処理形態として、例えば、後述するスキャニング領域を特定するためのスキャニング座標系（初期状態で該座標系の縦方向と横方向とが露光ヘッドＨの主走査方向と副走査方向と一致する）を生成し、スキャニングデータＤ１、Ｄ２を回転させず、前記姿勢（傾斜角度）に対応する角度だけスキャニング座標系の姿勢を回転させることにより、この回転前と回転後とにおける座標変換パラメータを設定するように処理形態を設定しても良い。この変換パラメータを用いることにより、適正な姿勢となるスキャニングデータＤ１、Ｄ２をシミュレートによって作り出すものであっても良い。
【００５８】
次に、重複領域抽出処理部２５ＣがテストチャートＴＣ１、ＴＣ２夫々のスキャニングデータＤ１、Ｄ２の重複領域Ｇ（図９を参照）を抽出し、傾向補正処理部２５Ｄが重複領域Ｇにおける濃度データの傾向に基づいてスキャニングデータＤ１の濃度データの傾向を補正し、濃度補正処理部２５Ｅが重複領域Ｇにおける濃度データを一致又は濃度差が最も小さくなるようにスキャニングデータＤ１の濃度データを補正し、更に、合成処理部２５ＦがスキャニングデータＤ１、Ｄ２夫々を繋ぎ合わせる形態での合成処理を行う。
【００５９】
具体的に説明すると、重複領域抽出処理部２５Ｃでは、スキャニングデータＤ１、Ｄ２夫々における各画素ラインＱを抽出し、前記センター指標４２を基準にして画素ライン部４３、４４夫々の画素ラインＱが対応する素子番号を求め、スキャニングデータＤ１、Ｄ２夫々において素子番号が共通する領域を重複領域Ｇとして抽出する。画素ラインＱを特定する際には、例えば、図６及び図７に示すように、複数の画素ラインＱのうちサンプリングラインＳＬと交差する部位における濃度データをサンプリングし、濃度が高い領域を画素ラインＱの位置として特定する。
【００６０】
ちなみに、図６及び図７に示すように、複数の画素ラインＱのうちサンプリングラインＳＬと交差する部位における濃度データは、画素ラインＱの主走査方向での中央位置の濃度が最も高く、画素ラインＱが存在しない領域では、その領域の主走査方向での中央位置の濃度が最も低いため、画素ラインＱの設定は比較的容易に行える。また、濃度データが決まった周期で変化するものであるため、周期的に変化しない領域を判別した場合には、テストチャートＴＣ１、ＴＣ２に対するゴミの付着や誤検出が考えられるので、高い濃度データが本来計測されるべき領域に画素ラインＱが存在するものであると決定して処理を進めるように処理形態を設定している。
【００６１】
また、画素ラインＱのうち濃度データをサンプリングする対象としては、蛍光発光管１５Ｒ、１５Ｇ、１５Ｂとの対象が明らかな３原色領域４５の１つ（例えば、Ｃ（シアン））で良いが、不正発色領域４６やグレー発色領域４７であっても良い。そして、この処理で抽出した重複領域Ｄの素子番号がＲ（赤）、Ｇ（緑）、Ｂ（青）の３原色に対応した３種のスキャニングデータに対応して設定される。
【００６２】
前記フラットベッドスキャナ５で先にテストチャートＴＣ１のスキャニングデータＤ１を取得し、次に、テストチャートＴＣ２のスキャニングデータＤ２を取得するようにシーケンスを設定しているので、後にスキャニングを行ったテストチャートＴＣ２が基準チャートに設定され、先にスキャニングを行ったテストチャートＴＣ１が補正対象チャートに設定される。
【００６３】
また、傾向補正処理部２５Ｄでは、図１１に示すように、基準チャート（テストチャートＴＣ２）のスキャニングデータＤ２の重複領域Ｇのデータを基準にして、補正対象チャート（テストチャートＴＣ１）のスキャニングデータＤ１の重複領域Ｇの濃度データの変化の傾向を求める。このように濃度データを取得する領域（主走査方向に沿う領域）としては、蛍光発光管１５Ｒ、１５Ｇ、１５Ｂとの対象が明らかな３原色領域４５のものの１つ（例えば、Ｃ（シアン））で良いが、３原色領域４５の全てや不正発色領域４６やグレー発色領域４７の１つ又は複数であっても良い。
【００６４】
つまり、補正対象チャート（テストチャートＴＣ１）のスキャニングデータＤ１は図１１の（ａ）に示す如く、係数が与えられた１次直線のように画素ラインＱの濃度データが直線的に変化（傾斜）する傾向がある。従って、この傾向補正処理部２５Ｄでは、同図の（ｂ）に示される基準チャートとしてのテストチャートＴＣ２から取得したスキャニングデータＤ２の重複領域Ｇの主走査方向において、予め設定された間隔で配置された複数の画素ラインＱにおける濃度データを取得する。
【００６５】
次に、このように濃度データを取得したスキャニングデータＤ２の画素ラインと同じ素子番号の画素ラインＱの濃度データをスキャニングデータＤ１から取得することにより、スキャニングデータＤ１における重複領域Ｇの変化傾向（傾斜）を求め、この変化傾向を相殺する係数を求める。
【００６６】
そして、この係数をスキャニングデータＤ１の全ての画素ラインＱの濃度データに乗ずることにより、濃度データの変化傾向を同図の主走査方向軸と平行化する。尚、変化傾向を求めるにはスキャニングデータＤ１における前記重複領域Ｇにおける主走査方向での全ての濃度データを求めるように処理形態を設定して良く、また、主走査方向において設定された複数種のピッチでサンプリングし、ピッチ毎の濃度データから求めた変化傾向（複数求められる）の値を平均化するように処理形態を設定しても良い。
【００６７】
また、傾向補正処理部２５Ｄにおいて、濃度データの傾向を求めるための画素ラインＱとしては、蛍光発光管１５Ｒ、１５Ｇ、１５Ｂとの対象が明らかな３原色領域４５のものの１つ（例えば、Ｃ（シアン））で良いが、不正発色領域４６やグレー発色領域４７のものであっても良い。そして、変化傾向を相殺する係数はＲ（赤）、Ｇ（緑）、Ｂ（青）の３原色の濃度データ全てに乗ずることになる。
【００６８】
尚、基準チャート（テストチャートＴＣ２）のスキャニングデータＤ２は、主走査方向での濃度データが略均一化する性質がある。また、スキャニングデータＤ１の重複領域Ｇのうちスキャニング作動の上流側の濃度データをＤａとし、この重複領域Ｇのうちスキャニング作動の下流側の濃度データをＤｂとし、スキャニングデータＤ２の濃度データをＤｃとすると、Ｄａ＜Ｄｂ＜Ｄｃの関係が成立する。
【００６９】
このように濃度データに変化の傾向や、濃度の差が作り出される理由として、スキャニング開始時にフラットベッドスキャナ５のスキャナ部５Ｄの光源の光量が安定せず、スキャニングの開始後にも光量が増大し続けていることに起因すると考えられ、スキャニングデータＤ２を取得する際には、スキャナ部５Ｄの光源の光量が安定しているため濃度データが均一化すると考えられる。
【００７０】
前記濃度補正処理部２５Ｅは、前記傾向補正処理部２５Ｄによって補正されたスキャニングデータＤ１の前記重複領域Ｇのうちサンプリング対象に設定した複数の画素ラインＱの濃度データと、この画素ラインＱに対応する（同じ素子番号の）前記基準チャート（テストチャートＴＣ２）のスキャニングデータＤ２の画素ラインＱの濃度データとを比較し、比較した画素ラインＱの濃度データが一致又は差が最も小さくするシフト量を求める。このように求めたシフト量に対応するデータを前記スキャニングデータＤ２の全ての画素ラインＱの濃度データに前記加算する処理（係数を乗ずる処理でも良い）を行う。
【００７１】
この濃度補正処理部２５Ｅにおいて、濃度データが一致又は差が最も小さくするシフト量を求める処理を行う際の画素ラインＱとしては、前述と同様に、蛍光発光管１５Ｒ、１５Ｇ、１５Ｂとの対象が明らかな３原色領域４５の１つ（例えば、Ｃ（シアン））で良いが、不正発色領域４６やグレー発色領域４７のものであっても良い。そして、濃度データをシフトする処理がＲ（赤）、Ｇ（緑）、Ｂ（青）の３原色の濃度データ全てに対して行われる。
【００７２】
この後、合成処理部２５Ｆが、前記基準チャート（テストチャートＴＣ２）のスキャニングデータＤ２に対して、前記濃度補正処理部２５Ｅで補正処理が行われたスキャニングデータＤ１のうち、前記重複領域Ｇを取り除いた領域を繋ぎ合わせる形態となる合成処理を行うことにより図１１の（ｃ）に示すように、合成スキャニングデータＤ３が生成される。この処理は、Ｒ（赤）、Ｇ（緑）、Ｂ（青）の３原色の濃度データ全てに対して行われ、このように生成された合成スキャニングデータでは、全ての画素ラインＱについて、素子番号が付される。
【００７３】
また、合成処理部２５Ｆでの処理としては、前記基準チャート（テストチャートＴＣ２）のスキャニングデータＤ２から前記重複領域Ｇを取り除き、前記補正処理後のスキャニングデータＤ１を繋ぎ合わせる処理であっても良く、スキャニングデータＤ１、Ｄ２夫々を重複領域Ｇの中間位置で繋ぎ合わせる処理を行うものであっても良い。
【００７４】
次に、濃度データ取得処理部２５Ｇが、３原色領域４５、不正発色領域４６、グレー発色領域４７において複数のスキャニング領域を設定し、そのスキャニング領域における濃度データを取得した後に、画素ラインＱ毎に平均化する処理を行い、素子番号を付与して保存する。尚、スキャニング領域としては画素ラインの主走査方向での中央に近い領域を設定することにより、隣接する画素ラインＱからの影響を排除しており、副走査方向で比較的多数となる領域を設定することにより、取得する濃度データの精度を高めている。
【００７５】
そして、素子番号を付与して複数の画素ラインＱの濃度データが保存された後には、補正データ生成処理部２５Ｉが、複数の画素ラインＱ夫々の濃度データに基づいて露光ヘッドＨにおける各蛍光発光管１５の発光素子１８の輝度を均一化する補正データ（例えば、補正係数）を生成し、この補正データを前記補正テーブル３５にオーバーライトする形態で保存するのである。
【００７６】
このように、本発明によると、大きいサイズの印画紙Ｐを準備していない場合でも、複数の印画紙Ｐを用いてテストチャートＴＣを作成し、この複数のテストチャートＴＣに基づく自動的な処理によって、露光ヘッドＨの蛍光発光管１５の発光素子１８に対する補正テーブルを適正に更新できる。特に、フラットベッドスキャナ５で２枚のテストチャートＴＣ１、ＴＣ２をスキャニングしてスキャニングデータＤ１、Ｄ２を取得した際に、そのスキャニングデータＤ１、Ｄ２の一方の濃度が主走査方向で変化しており、しかも、濃度が一致しない場合でも、２つのスキャニングデータＤ１、Ｄ２から１つのスキャニングデータＤ３を合成して作り出し、適正に補正テーブル３５を更新できるのである。
【００７７】
〔別実施形態〕
本発明は、上記した実施の形態以外に以下のように構成しても良い。
【００７８】
（ａ）プリント装置の露光ヘッドとして固定された感光材料（プリント材料の一例）の感光面側を移動する構造のものに適用する。このような露光ヘッドを備えたプリント装置では露光ヘッドに対して主走査方向に発光ダイオード等のプリント制御部を備え、この露光ヘッドを副走査方向に移動させる作動を行うものとなる。
【００７９】
（ｂ）スキャナとして、画像を取得するスキャニング部が固定され、このスキャニング部に対して印画紙Ｐを送込む形態のものを使用する。
【００８０】
（ｃ）３枚以上のテストチャートを作成し、夫々のテストチャートを合成することにより単一のテストチャートを生成して、補正テーブルの更新を行うように処理形態を設定する。この処理を行う場合には、複数のテストチャートの１つだけを基準チャートに設定し、この基準チャートに基づいて他のテストチャートの変化傾向や濃度の補正を行うように処理形態を設定できる。
【００８１】
（ｄ）露光ヘッドに対して印画紙Ｐを副走査方向に移動させて露光を行うプリント装置では、小さいサイズの印画紙を用いて複数のテストチャートを作成するために、露光ヘッドを主走査方向に位置変更自在に構成して良く、印画紙マガジンを主走査方向に位置変更自在に構成しても良い。
【産業上の利用可能性】
【００８２】
テストチャートのスキャニングを行う専用のスキャナを備えたプリント装置、あるいは、現像処理液を用いずに感光材料の現像処理を行うプリント装置に本発明を適用する。
【図面の簡単な説明】
【００８３】
【図１】写真プリント装置の構成を模式的に示す図
【図２】発光素子の配置を模式的に示す図
【図３】露光ドットパターンを示す図
【図４】制御系のブロック回路図
【図５】テストチャートを示す図
【図６】テストチャートの構造を示す拡大図
【図７】画素ラインと計測された濃度との関係を示す図
【図８】処理の流れの概略を示す図
【図９】２枚のテストチャートの重複領域の関係を示す図
【図１０】フラットベッドスキャナでのテストチャートの配置を示す図
【図１１】２つのスキャニングデータの濃度と合成スキャニングデータの濃度とをグラフ化した図
【符号の説明】
【００８４】
５            スキャナ
２４          スキャナ制御手段
２５          補正データ生成手段
Ｇ            重複領域
Ｈ            プリントヘッド
Ｐ            プリント材料：印画紙
Ｑ            画素ライン
ＴＣ          テストチャート
Ｄ１          スキャニングデータ
Ｄ２          スキャニングデータ
Ｄ３          合成スキャニングデータ
【図１】
2006297616.tif 000003
【図２】
2006297616.tif 000004
【図３】
2006297616.tif 000005
【図４】
2006297616.tif 000006
【図５】
2006297616.tif 000007
【図６】
2006297616.tif 000008
【図７】
2006297616.tif 000009
【図８】
2006297616.tif 000010
【図９】
2006297616.tif 000011
【図１０】
2006297616.tif 000012
【図１１】
2006297616.tif 000013